(57)【要約】【課題】カードリーダユニットと印刷ユニットとを備えるカード処理装置において、前後方向で小型化することが可能なカード処理装置を提供する。【解決手段】このカード処理装置では、カードリーダユニット４の一部は、インクリボンカートリッジの供給ロールの下側に配置されている。インクリボンカートリッジを上側から覆うカバー部材９は、Ｙ方向を回動の軸方向とし、かつ、カード処理装置の後端側を回動中心にして、インクリボンカートリッジを上側から覆う位置とインクリボンカートリッジを露出させる位置との間で回動可能となっている。カードリーダユニット４は、カードリーダユニット４の内部に形成されるカードの搬送路の上面を構成する上フレーム２０を備え、上フレーム２０は、Ｙ方向を回動の軸方向とし、かつ、カード処理装置の前端側を回動中心にして、搬送路を形成する位置と搬送路の上面および下面を露出させる位置との間で回動可能となっている。【選択図】図２
2018052022.tif 000002
【特許請求の範囲】
【請求項１】
カードに記録されたデータの読取および前記カードへのデータの記録の少なくとも一方を行うカードリーダユニットと、インクリボンカートリッジおよびサーマルヘッドを有し前記カードに印刷を行う印刷ユニットとを備えるカード処理装置であって、
少なくとも前記インクリボンカートリッジを上側から覆うカバー部材を備え、
前記インクリボンカートリッジは、インクリボンが巻回される供給ロールと、前記供給ロールから供給された前記インクリボンが巻き取られる巻取ロールとを備え、
前記サーマルヘッドは、前記インクリボンを加熱して前記カードに前記インクリボンのインクを転写して印刷し、
前記カードリーダユニットは、前後方向において前記サーマルヘッドの前側に配置されるとともに、前記カードリーダユニットの少なくとも一部は、上下方向において前記供給ロールまたは前記巻取ロールの下側に配置され、
前記カバー部材は、上下方向と前後方向とに直交する左右方向を回動の軸方向とし、かつ、前記カード処理装置の後端側または前記カード処理装置の前端側を回動中心にして、前記インクリボンカートリッジを上側から覆うカバー閉位置と前記インクリボンカートリッジを露出させるカバー開位置との間で回動可能となっており、
前記カードリーダユニットおよび前記印刷ユニットの内部には、前記カードが搬送される搬送路が形成され、
前記搬送路の、前記カードリーダユニットの内部に形成される部分を第１搬送路とすると、
前記カードリーダユニットは、前記第１搬送路の上面を構成する上フレームを備え、
前記上フレームは、左右方向を回動の軸方向とし、かつ、前記カード処理装置の前端側を回動中心にして、前記第１搬送路を形成するフレーム閉位置と前記第１搬送路の上面および下面を露出させるフレーム開位置との間で回動可能となっていることを特徴とするカード処理装置。
【請求項２】
前記カバー部材は、前記カード処理装置の後端側を回動中心にして回動可能となっていることを特徴とする請求項１記載のカード処理装置。
【請求項３】
前記カードを表裏に反転させるカード反転ユニットを備え、
前記カバー部材が前記カバー閉位置にあるときには、前記カード反転ユニットは上側から前記カバー部材に覆われていることを特徴とする請求項１または２記載のカード処理装置。
【発明の詳細な説明】
【技術分野】
【０００１】
本発明は、カードに対して所定の処理を行うカード処理装置に関する。
【背景技術】
【０００２】
従来、カードを発行するカード発行装置が知られている（たとえば、特許文献１参照）。特許文献１に記載のカード発行装置は、カードに記録されたデータの読取やカードへのデータの記録を行うカードリーダと、発行前のカードが積層されて収容されるカードカセットとカードカセットに収容されたカードをカードリーダに向かって送り出すカードの送出機構とを有するカードスタッカと、不要なカードを回収するカード回収部とを備えている。カードスタッカとカード回収部とは上下方向で重なっている。カードリーダは、カードスタッカの前側に配置されている。
【０００３】
また、従来、カードに印刷を行う印刷装置が知られている（たとえば、特許文献２参照）。特許文献２に記載の印刷装置は、インクリボンが巻回される供給ロールおよび巻取ロールを有するインクリボンカートリッジと、インクリボンカートリッジが着脱可能に取り付けられる本体部とから構成されている。また、この印刷装置は、カードを搬送するカード搬送機構と、インクリボンを加熱してカードにインクリボンのインクを転写し印刷するサーマルヘッドと、供給ロールと巻取ロールとの間でインクリボンを送るリボン送り機構とを備えている。供給ロールは、サーマルヘッドの上側かつ前側に配置され、巻取ロールは、サーマルヘッドの上側かつ後ろ側に配置されている。
【先行技術文献】
【特許文献】
【０００４】
【特許文献１】特開２０１５−１６１９９１号公報
【特許文献２】特開２０１４−１０４７４５号公報
【発明の概要】
【発明が解決しようとする課題】
【０００５】
本願発明者は、特許文献１に記載のカードリーダの機能と、特許文献２に記載の印刷装置の機能とを併せ持つカード処理装置の構造を検討している。かかるカード処理装置を構成するためには、特許文献１に記載のカードリーダと特許文献２に記載の印刷装置とをカード処理装置の前後方向で組み合わせれば良い。しかしながら、特許文献１に記載のカードリーダと特許文献２に記載の印刷装置とを前後方向で単純に組み合わせたのでは、前後方向においてカード処理装置が大型化するおそれがある。
【０００６】
そこで、本発明の課題は、カードに記録されたデータの読取等を行うカードリーダユニットと、カードに印刷を行う印刷ユニットとを備えるカード処理装置において、前後方向で小型化することが可能なカード処理装置を提供することにある。
【課題を解決するための手段】
【０００７】
上記の課題を解決するため、本発明のカード処理装置は、カードに記録されたデータの読取およびカードへのデータの記録の少なくとも一方を行うカードリーダユニットと、インクリボンカートリッジおよびサーマルヘッドを有しカードに印刷を行う印刷ユニットとを備えるカード処理装置であって、少なくともインクリボンカートリッジを上側から覆うカバー部材を備え、インクリボンカートリッジは、インクリボンが巻回される供給ロールと、供給ロールから供給されたインクリボンが巻き取られる巻取ロールとを備え、サーマルヘッドは、インクリボンを加熱してカードにインクリボンのインクを転写して印刷し、カードリーダユニットは、前後方向においてサーマルヘッドの前側に配置されるとともに、カードリーダユニットの少なくとも一部は、上下方向において供給ロールまたは巻取ロールの下側に配置され、カバー部材は、上下方向と前後方向とに直交する左右方向を回動の軸方向とし、かつ、カード処理装置の後端側またはカード処理装置の前端側を回動中心にして、インクリボンカートリッジを上側から覆うカバー閉位置とインクリボンカートリッジを露出させるカバー開位置との間で回動可能となっており、カードリーダユニットおよび印刷ユニットの内部には、カードが搬送される搬送路が形成され、搬送路の、カードリーダユニットの内部に形成される部分を第１搬送路とすると、カードリーダユニットは、第１搬送路の上面を構成する上フレームを備え、上フレームは、左右方向を回動の軸方向とし、かつ、カード処理装置の前端側を回動中心にして、第１搬送路を形成するフレーム閉位置と第１搬送路の上面および下面を露出させるフレーム開位置との間で回動可能となっていることを特徴とする。
【０００８】
本発明のカード処理装置では、カードリーダユニットの少なくとも一部は、印刷ユニットを構成する供給ロールまたは巻取ロールの下側に配置されている。そのため、本発明では、特許文献１に記載のカードリーダと特許文献２に記載の印刷装置とがカード処理装置の前後方向において単純に組み合わされて配置されている場合と比較して、前後方向でカード処理装置を小型化することが可能になる。
【０００９】
また、本発明では、インクリボンカートリッジを上側から覆うカバー部材は、上下方向と前後方向とに直交する左右方向を回動の軸方向とし、かつ、カード処理装置の後端側またはカード処理装置の前端側を回動中心にして、インクリボンカートリッジを上側から覆うカバー閉位置とインクリボンカートリッジを露出させるカバー開位置との間で回動可能となっている。そのため、本発明では、カバー開位置へカバー部材を回動させることで、カード処理装置の上側からインクリボンカートリッジを交換することが可能になる。
【００１０】
さらに、本発明では、供給ロールまたは巻取ロールの下側に少なくとも一部が配置されるカードリーダユニットは、カードが搬送される第１搬送路の上面を構成する上フレームを備えており、上フレームは、左右方向を回動の軸方向とし、かつ、カード処理装置の前端側を回動中心にして、第１搬送路を形成するフレーム閉位置と第１搬送路の上面および下面を露出させるフレーム開位置との間で回動可能となっている。そのため、本発明では、カバー部材をカバー開位置へ回動させ、インクリボンカートリッジを取り外すとともに、上フレームをフレーム開位置に回動させることで、カードリーダユニットおよび印刷ユニットの搬送路の上側の全体を開放することが可能になる。したがって、本発明では、カードリーダユニットおよび印刷ユニットのメンテナンスを容易に行うことが可能になる。
【００１１】
また、本発明では、インクリボンカートリッジを交換する際にカバー部材をカバー開位置へ回動させて、インクリボンカートリッジを取り外しても、上フレームをフレーム開位置へ回動させなければ、第１搬送路の上面および下面が露出しない。そのため、本発明では、カード処理装置のセキュリティ性を高めることが可能になる。すなわち、本発明では、カバー部材をカバー開位置へ回動させ、インクリボンカートリッジを取り外しても、上フレームをフレーム開位置へ回動させなければ、たとえば、第１搬送路に臨むように配置される磁気ヘッドが露出しないため、磁気データを不正に取得するためのスキミング装置が磁気ヘッドに取り付けられるおそれを低減することが可能になる。したがって、本発明では、カード処理装置のセキュリティ性を高めることが可能になる。
【００１２】
本発明において、カバー部材は、カード処理装置の後端側を回動中心にして回動可能となっていることが好ましい。このように構成すると、たとえば、カード処理装置がＡＴＭ（Ａｕｔｏｍａｔｅｄ  Ｔｅｌｌｅｒ  Ｍａｃｈｉｎｅ）等の上位装置に搭載される場合であって、カード処理装置の前面側が上位装置の筺体の前面部に接触するようにカード処理装置が上位装置に搭載される場合であっても、カバー開位置に向かって回動するカバー部材と上位装置の筺体の前面部との干渉を防止して、カバー部材を大きく開くことが可能になる。したがって、インクリボンカートリッジの交換や、カードリーダユニットおよび印刷ユニットのメンテナンスをより容易に行うことが可能になる。
【００１３】
本発明において、カード処理装置は、カードを表裏に反転させるカード反転ユニットを備え、カバー部材がカバー閉位置にあるときには、カード反転ユニットは上側からカバー部材に覆われていることが好ましい。このように構成すると、カバー閉位置に配置されるカバー部材によってカード反転ユニットを保護することが可能になる。
【発明の効果】
【００１４】
以上のように、本発明では、カードに記録されたデータの読取等を行うカードリーダユニットと、カードに印刷を行う印刷ユニットとを備えるカード処理装置において、前後方向でカード処理装置を小型化することが可能になる。
【図面の簡単な説明】
【００１５】
【図１】本発明の実施の形態にかかるカード処理装置の概略構成を側面から説明するための図である。
【図２】図１に示すカード処理装置の、カバー部材および上フレームが開くとともにインクリボンカートリッジが取り外されている状態を示す斜視図である。
【図３】図２に示すカード処理装置の、カバー部材および上フレームが開くとともにインクリボンカートリッジが取り外されている状態を異なる角度から示す斜視図である。
【図４】図１に示すカード処理装置においてカード回収庫にカードが回収されるときの状態を説明するための図である。
【図５】図１に示すカード処理装置においてカード回収庫にカードが回収されるときの状態を説明するための図である。
【発明を実施するための形態】
【００１６】
以下、図面を参照しながら、本発明の実施の形態を説明する。
【００１７】
（カード処理装置の構成）
図１は、本発明の実施の形態にかかるカード処理装置１の概略構成を側面から説明するための図である。図２は、図１に示すカード処理装置１の、カバー部材９および上フレーム２０が開くとともにインクリボンカートリッジ２５が取り外されている状態を示す斜視図である。図３は、図２に示すカード処理装置１の、カバー部材９および上フレーム２０が開くとともにインクリボンカートリッジ２５が取り外されている状態を異なる角度から示す斜視図である。なお、図１等のＸ方向は、カード処理装置１の前後方向であり、図１等のＺ方向は、カード処理装置１の上下方向であり、図１等のＹ方向は、前後方向と上下方向とに直交するカード処理装置１の左右方向である。また、前後方向のうちのＸ１方向側は、カード処理装置１の前側であり、その反対側であるＸ２方向側は、カード処理装置１の後ろ側である。
【００１８】
本形態のカード処理装置１は、新規のカード２を発行するためのカード発行装置である。したがって、以下では、本形態のカード処理装置１を「カード発行装置１」とする。カード発行装置１は、たとえば、ＡＴＭに搭載されて使用される。このカード発行装置１は、ＡＴＭの筐体の前面部にカード発行装置１の前端側が接触するようにＡＴＭに搭載されている。
【００１９】
カード発行装置１は、発行前の新規のカード２が収容されるカードスタックユニット３と、カード２に記録されたデータの読取およびカード２へのデータの記録の少なくともいずれか一方を行うカードリーダユニット４と、カード２に印刷を行う印刷ユニット５と、カード２を表裏に反転させるカード反転ユニット６と、カード２が回収される２個のカード回収庫７、８とを備えている。また、カード発行装置１は、印刷ユニット５の一部を構成する後述のインクリボンカートリッジ２５を上側から覆うカバー部材９を備えている。図１〜図３に示すように、カバー部材９は、開閉可能となっている。
【００２０】
カード２は、たとえば、厚さが０．７〜０．８ｍｍ程度の塩化ビニール製のカードであり、略長方形状に形成されている。このカード２の表面には、たとえば、磁気データが記録される磁気ストライプが形成されている。また、たとえば、カード２の内部には、ＩＣチップが内蔵されている。なお、カード２は、厚さが０．１８〜０．３６ｍｍ程度のＰＥＴ（ポリエチレンテレフタレート）カードであっても良いし、所定の厚さの紙カード等であっても良い。
【００２１】
カードスタックユニット３は、発行前のカード２が積層されて収容されるカード収容部１２と、カード収容部１２の中の一番下のカード２を送り出すカード送出機構１３とを備えている。カード収容部１２は、カード２が収容されるカードカセット１４と、カードカセット１４が着脱可能に取り付けられる本体部１５とを備えている。カード送出機構１３は、カード収容部１２の下側に配置されており、上下方向でカード収容部１２と重なっている。このカード送出機構１３は、たとえば、カード収容部１２の中の一番下のカード２に係合してこのカード２をカード収容部１２の外部に送り出す送出爪（図示省略）と、送出爪を移動させる爪送り機構（図示省略）とを備えており、カード収容部１２に収容されたカード２を前側に向かって送り出す。
【００２２】
カードリーダユニット４は、カード２に記録された磁気データの読取やカード２への磁気データの記録を行う磁気ヘッド１８、１９を備えている。また、カード２が接触式のＩＣカードである場合には、カードリーダユニット４は、カード２のＩＣチップの外部接続端子に接触するＩＣ接点バネ（図示省略）を備えている。また、カード２が非接触式のＩＣカードである場合には、カードリーダユニット４は、カード２のアンテナと非接触で通信を行うためのアンテナ（図示省略）を備えている。また、カードリーダユニット４は、カードリーダユニット４および印刷ユニット５の内部に形成される後述の搬送路２８の一部分の上側の面を構成する上フレーム２０を備えている。カードリーダユニット４の前端には、カード２の挿入排出口４ａが形成されている。なお、カード２の表面に磁気ストライプが形成されていない場合には、カードリーダユニット４は、磁気ヘッド１８、１９を備えていなくても良い。
【００２３】
印刷ユニット５は、インクリボン２２が巻回される供給ロール２３および供給ロール２３から供給されたインクリボン２２が巻き取られる巻取ロール２４を有するインクリボンカートリッジ２５と、インクリボン２２を加熱してインクリボン２２のインクをカード２に転写し印刷するサーマルヘッド２６と、サーマルヘッド２６を昇降させるヘッド昇降機構２７（図２参照）と、供給ロール２３から巻取ロール２４にインクリボン２２を送るリボン送り機構（図示省略）とを備えている。インクリボンカートリッジ２５は、カード発行装置１の本体フレームに対して着脱可能となっている。なお、図１では、ヘッド昇降機構２７の図示を省略している。
【００２４】
また、カードリーダユニット４および印刷ユニット５の内部には、カード２が搬送される搬送路２８が形成されている。搬送路２８は、カードリーダユニット４の内部に形成される部分と、印刷ユニット５の内部に形成される部分とによって構成されている。以下の説明では、搬送路２８の、カードリーダユニット４の内部に形成される部分を第１搬送路２８ａとする。
【００２５】
カードリーダユニット４および印刷ユニット５は、搬送路２８でカード２を搬送するカード搬送機構２９を備えている。カード搬送機構２９は、カードリーダユニット４の一部を構成する３個の駆動ローラ３０、３１、３２と、印刷ユニット５の一部を構成する駆動ローラ３３およびプラテンローラ３４とを備えており、カード２を前後方向へ搬送する。駆動ローラ３０〜３３およびプラテンローラ３４には、動力伝達機構（図示省略）を介して共通の駆動源（具体的には、図示を省略するモータ）が連結されている。
【００２６】
駆動ローラ３０〜３２は、上側から搬送路２８に臨むように配置されている。具体的には、駆動ローラ３０〜３２は、上側から第１搬送路２８ａに臨むように配置されている。また、駆動ローラ３０〜３２は、前側から後ろ側に向かってこの順番で、かつ、互いに所定の間隔をあけた状態で配置されている。駆動ローラ３０〜３２のそれぞれには、パッドローラ３５、３６、３７が対向配置されている。パッドローラ３５〜３７は、下側から搬送路２８に臨むように（具体的には、下側から第１搬送路２８ａに臨むように）配置されている。
【００２７】
駆動ローラ３３およびプラテンローラ３４は、下側から搬送路２８に臨むように配置されている。プラテンローラ３４は、駆動ローラ３２よりも後ろ側に配置されている。駆動ローラ３３は、プラテンローラ３４よりも後ろ側に配置されている。駆動ローラ３３には、印刷前のカード２の表面に付着した塵埃等を除去するためのクリーニングローラ３８が対向配置されている。クリーニングローラ３８は、上側から搬送路２８に臨むように配置されている。プラテンローラ３４は、サーマルヘッド２６の真下に配置されている。
【００２８】
磁気ヘッド１８は、上側から搬送路２８に臨むように配置され、磁気ヘッド１９は、下側から搬送路２８に臨むように配置されている。具体的には、磁気ヘッド１８は、上側から第１搬送路２８ａに臨むように配置され、磁気ヘッド１９は、下側から第１搬送路２８ａに臨むように配置されている。また、磁気ヘッド１８、１９は、前後方向において、駆動ローラ３１およびパッドローラ３６と同じ位置に配置されている。カードリーダユニット４の上フレーム２０は、第１搬送路２８ａの上面２８ｃを構成している。この上フレーム２０は、開閉可能となっており、左右方向を回動の軸方向として回動可能となっている。
【００２９】
サーマルヘッド２６は、ヘッド保持部材３９に保持されている。サーマルヘッド２６とヘッド昇降機構２７とヘッド保持部材３９とは、カバー部材９に取り付けられている。サーマルヘッド２６は、上側からインクリボン２２を介してカード２に接触可能となっている。カバー部材９が閉じている状態（図１に示す状態）では、サーマルヘッド２６は、前後方向において、供給ロール２３と巻取ロール２４との間に配置されている。本形態では、サーマルヘッド２６よりも前側に供給ロール２３が配置され、サーマルヘッド２６よりも後ろ側に巻取ロール２４が配置されている。また、カバー部材９が閉じている状態では、供給ロール２３および巻取ロール２４は、サーマルヘッド２６よりも上側に配置されている。
【００３０】
カード反転ユニット６は、カード２を内部に一時的に保持するカード保持部４３と、カード保持部４３へのカード２の引き込みとカード保持部４３からのカード２の送り出しとを行うカード引込送出機構４４と、左右方向を回動の軸方向としてカード保持部４３を回動させる回動機構４５とを備えている。カード保持部４３は、略直方体のブロック状に形成されている。左右方向から見たときのカード保持部４３の形状は、略長方形状となっている。左右方向から見たときのカード保持部４３の長手方向の幅は、略長方形状に形成されるカード２の長手方向の幅よりも広くなっている。
【００３１】
カード保持部４３は、支持軸４６に回動可能に支持されている。支持軸４６は、支持軸４６の軸方向と左右方向とが一致するように配置されている。また、支持軸４６は、左右方向から見たときに略長方形状をなすカード保持部４３の中心部分を支持している。カード保持部４３の内部には、カード２が搬送される搬送路４７が形成されている。
【００３２】
搬送路４７は、左右方向から見たときに、略長方形状をなすカード保持部４３の短手方向の中心位置に形成されるとともに、カード保持部４３の長手方向に沿う直線状に形成されている。搬送路４７は、左右方向において搬送路２８と同じ位置に配置されている。また、搬送路４７は、左右方向においてカードスタックユニット３のカード送出口と同じ位置に配置されている。カード保持部４３の内部で一時的に保持されるカード２は、以下に説明する２個の駆動ローラ４８と２個のパッドローラ４９との間に挟まれた状態で搬送路４７の中に配置されている。
【００３３】
カード引込送出機構４４は、搬送路４７の両端側のそれぞれに配置される２個の駆動ローラ４８と、２個の駆動ローラ４８のそれぞれに対向配置される２個のパッドローラ４９と、駆動ローラ４８を回転させるモータ５０と、モータ５０の動力を駆動ローラ４８に伝達する動力伝達機構５１とを備えており、左右方向から見たときのカード保持部４３の長手方向へカード２を搬送する。駆動ローラ４８は、搬送路４７を通過するカード２の厚さ方向の一方側から搬送路４７に臨むように配置され、パッドローラ４９は、搬送路４７を通過するカード２の厚さ方向の他方側から搬送路４７に臨むように配置されている。動力伝達機構５１は、プーリ、ベルトおよび歯車列等を備えている。
【００３４】
回動機構４５は、支持軸４６を中心にしてカード保持部４３を回動させるモータ５４と、モータ５４の動力をカード保持部４３に伝達する動力伝達機構５５とから構成されている。動力伝達機構５５は、プーリおよびベルト等を備えている。モータ５０、５４は、カード保持部４３の下側に配置されている。
【００３５】
図１に示すように、カードスタックユニット３とカード反転ユニット６とサーマルヘッド２６とカードリーダユニット４とは、前後方向においてこの順番で配置されている。具体的には、カバー部材９が閉じている状態（図１に示す状態）において、カードスタックユニット３とカード反転ユニット６とサーマルヘッド２６とカードリーダユニット４とは、後ろ側から前側に向かってこの順番で配置されている。すなわち、カードリーダユニット４は、サーマルヘッド２６の前側に配置されている。
【００３６】
また、カード反転ユニット６は、駆動ローラ３３およびクリーニングローラ３８よりも後ろ側に配置されている。また、カードリーダユニット４の後端側部分は、供給ロール２３の下側（すなわち、インクリボンカートリッジ２５の下側）に配置されている。また、左右方向から見たときに搬送路４７が前後方向と平行になっている状態（図１に示す状態）では、カード反転ユニット６の前端側部分は、巻取ロール２４の下側（すなわち、インクリボンカートリッジ２５の下側）に配置されている。
【００３７】
カバー部材９は、左右方向に２分割される第１カバー部材５７と第２カバー部材５８とから構成されている。このカバー部材９は、印刷ユニット５およびカード反転ユニット６を上側から覆っている。すなわち、カバー部材９は、インクリボンカートリッジ２５を上側から覆っている。上述のように、カバー部材９は、開閉可能となっており、左右方向を回動の軸方向として回動可能となっている。また、カバー部材９は、カード発行装置１の後端側を回動中心にして回動可能となっている。具体的には、カバー部材９は、カードスタックユニット３の本体部１５の左右の両側面に固定される支持軸５９に支持されており、支持軸５９を回動中心にして回動可能となっている。
【００３８】
また、カバー部材９は、インクリボンカートリッジ２５を上側から覆うカバー閉位置（図１に示す位置、カバー部材９が閉じている位置）と、インクリボンカートリッジ２５を露出させるカバー開位置（図２、図３に示す位置、カバー部材９が開いている位置）との間で回動可能となっている。本形態では、カバー部材９は、カバー閉位置とカバー開位置との間で約１３５°回動する。
【００３９】
カバー部材９がカバー開位置にあるときには、インクリボンカートリッジ２５の全体が露出しており、カード発行装置１の上側へのインクリボンカートリッジ２５の取外しと、カード発行装置１の上側からのインクリボンカートリッジ２５の取付けとが可能になっている。すなわち、カバー部材９がカバー開位置にあるときには、カード発行装置１の上側からインクリボンカートリッジ２５を交換することが可能になっている。
【００４０】
カバー部材９がカバー開位置にあるときにインクリボンカートリッジ２５が取り外されると、駆動ローラ３３、プラテンローラ３４およびクリーニングローラ３８が露出する。また、カバー部材９がカバー開位置にあるときには、カード保持部４３の後端側の一部分が露出しており、この状態でインクリボンカートリッジ２５が取り外されると、カード保持部４３の全体が露出する。一方、カバー部材９がカバー閉位置にあるときには、カード保持部４３は、上側からカバー部材９に覆われている。すなわち、カバー部材９がカバー閉位置にあるときには、反転ユニット６は、上側からカバー部材９に覆われている。
【００４１】
上述のように、カードリーダユニット４の上フレーム２０は、左右方向を回動の軸方向として回動可能となっている。この上フレーム２０は、カード発行装置１の前端側を回動中心にして回動可能となっている。また、上フレーム２０は、第１搬送路２８ａを形成するフレーム閉位置（すなわち、上フレーム２０によって第１搬送路２８ａが形成される図１に示す位置、上フレーム２０が閉じている位置）と、第１搬送路２８ａの上面２８ｃおよび下面２８ｄ（図３参照）を露出させるフレーム開位置（図２、図３に示す位置、上フレーム２０が開いている位置）との間で回動可能となっている。
【００４２】
本形態では、上フレーム２０は、フレーム閉位置とフレーム開位置との間で約９０°回動する。また、本形態では、上述のように、カードリーダユニット４の後端側部分は、インクリボンカートリッジ２５の下側に配置されており、カバー部材９がカバー開位置にあってインクリボンカートリッジ２５が取り外されたときに、フレーム閉位置にある上フレーム２０をフレーム開位置に回動させることが可能になる。
【００４３】
カード回収庫７は、カードスタックユニット３の下側に配置されており、カード保持部４３の斜め下後方に配置されている。カード回収庫８は、カードリーダユニット４の下側に配置されており、カード保持部４３の斜め下前方に配置されている。また、カード回収庫７、８は、左右方向においてカード保持部４３と同じ位置に配置されている。カード保持部４３とカード回収庫８との間には、カード２の搬送路６２が形成されている。搬送路６２は、左右方向においてカード保持部４３と同じ位置に配置されている。搬送路６２には、カード２を搬送する回収用カード搬送機構６３が配置されている。
【００４４】
回収用カード搬送機構６３は、駆動ローラ６４と、駆動ローラ６４に対向配置されるパッドローラ６５と、駆動ローラ６４を回転させるモータ６６と、モータ６６の動力を駆動ローラ６４に伝達する動力伝達機構６７とを備えている。駆動ローラ６４は、下側から搬送路６２に臨むように配置され、パッドローラ６５は、上側から搬送路６２に臨むように配置されている。動力伝達機構６７は、プーリおよびベルト等を備えている。
【００４５】
本形態では、支持軸４６を中心にしてカード保持部４３が回動すると、カード保持部４３からカードリーダユニット４に向かってカード２が搬送される第１搬送経路と、カード保持部４３からカード回収庫７に向かってカード２が搬送される第２搬送経路（図２参照）と、カード保持部４３からカード回収庫８に向かってカード２が搬送される第３搬送経路（図３参照）とにカード２の搬送経路が切り替わる。
【００４６】
（カード発行装置の動作）
図４は、図１に示すカード発行装置１においてカード回収庫７にカード２が回収されるときの状態を説明するための図である。図５は、図１に示すカード発行装置１においてカード回収庫８にカード２が回収されるときの状態を説明するための図である。
【００４７】
上述のように、カード発行装置１は、ＡＴＭに搭載されている。ＡＴＭで現金の引き出しや振り込み等が行われるときには、挿入排出口４ａから挿入されたカード２に対してカードリーダユニット４が所定の処理を行い、その後、カード２を挿入排出口４ａから排出する。
【００４８】
また、ＡＴＭで新規にカード２が発行されるときには、図１に示すように、カードスタックユニット３からカード保持部４３にカード２が搬送されるとともにカード保持部４３からカードリーダユニット４にカード２が搬送されるように、搬送路４７が前後方向と平行になっている状態で、カードスタックユニット３がカード２を送り出す。カードスタックユニット３からカード２が送り出されると、カード２の後端がサーマルヘッド２６よりも前側に配置される位置までカード引込送出機構４４およびカード搬送機構２９がカード２を前側に搬送する。カード２の後端がサーマルヘッド２６よりも前側に配置される位置までカード２が搬送されると、クリーニングローラ３８の作用でカード２のおもて面（上面）がきれいになる。
【００４９】
その後、サーマルヘッド２６が下降するとともにカード搬送機構２９がカード２を後ろ側に搬送して、サーマルヘッド２６がカード２のおもて面に文字等を印刷する。また、その後、カード２の裏面に印刷が行われる場合には、カード保持部４３の中にカード２が保持されるまでカード引込送出機構４４およびカード搬送機構２９がカード２を搬送してから、カード保持部４３が１８０°回動してカード２を反転させた後、カード２の後端がサーマルヘッド２６よりも前側に配置される位置までカード引込送出機構４４およびカード搬送機構２９がカード２を前側に搬送する。カード２の後端がサーマルヘッド２６よりも前側に配置される位置までカード２が搬送されると、クリーニングローラ３８の作用でカード２の裏面がきれいになる。また、その後、カード搬送機構２９がカード２を後ろ側へ搬送しながらサーマルヘッド２６がカード２の裏面に文字等を印刷する。
【００５０】
カード２への印刷が終了すると、カードリーダユニット４がカード２に磁気データを記録する等の所定の処理を行ってから、挿入排出口４ａからカード２を発行する。ここで、カードリーダユニット４での処理時に所定のエラーが発生すると、エラーが発生したカード２がカード保持部４３の中に保持されるまで、カード搬送機構２９およびカード引込送出機構４４がカード２を後ろ側へ搬送する。その後、図２に示すように、カード保持部４３からカード回収庫７にカード２が搬送されるようにカード保持部４３が回動してから、カード引込送出機構４４がカード回収庫７に向かってカード２を搬送し、カード回収庫７にカード２を回収する。
【００５１】
また、ＡＴＭでカード２が新しいカード２に更新されるときには、まず、挿入排出口４ａから挿入された使用済みのカード２がカード保持部４３の中に保持されるまで、カード搬送機構２９およびカード引込送出機構４４がカード２を搬送する。その後、図３に示すように、カード保持部４３からカード回収庫８にカード２が搬送されるようにカード保持部４３が回動してから、カード引込送出機構４４が搬送路６２にカード２を送り出す。回収用カード搬送機構６３は、搬送路６２に送り出されたカード２を駆動ローラ６４とパッドローラ６５との間で保持する。
【００５２】
また、搬送路６２にカード２が送り出されると、カードスタックユニット３からカード保持部４３にカード２が搬送されるとともにカード保持部４３からカードリーダユニット４にカード２が搬送されるように、カード保持部４３が回動する。その後、上述のように、カードスタックユニット３が送り出した新規のカード２にサーマルヘッド２６が文字等を印刷した後、カードリーダユニット４が所定の処理を行って、挿入排出口４ａからカード２を発行する。
【００５３】
カード２が挿入排出口４ａから発行されると、駆動ローラ６４とパッドローラ６５との間で保持されているカード２を回収用カード搬送機構６３がカード回収庫８に向かって搬送して、カード回収庫８に使用済みのカード２を回収する。一方、新規のカード２を発行する際に何らかのエラーが発生して、駆動ローラ６４とパッドローラ６５との間で保持されているカード２をユーザに返却しなければならない場合には、このカード２がカード保持部４３の中に保持されるまで、回収用カード搬送機構６３およびカード引込送出機構４４がこのカード２を搬送する。その後、カード保持部４３からカードリーダユニット４にカード２が搬送されるようにカード保持部４３が回動してから、カード引込送出機構４４およびカード搬送機構２９がカード２を搬送して、挿入排出口４ａからカード２を排出する。
【００５４】
（本形態の主な効果）
以上説明したように、本形態では、カードリーダユニット４の後端側部分は、供給ロール２３の下側に配置されている。そのため、本形態では、上述の特許文献１に記載のカードリーダと特許文献２に記載の印刷装置とが前後方向において単純に組み合わされて配置されている場合と比較して、前後方向でカード発行装置１を小型化することが可能になる。
【００５５】
本形態では、カバー部材９は、インクリボンカートリッジ２５を上側から覆うカバー閉位置と、インクリボンカートリッジ２５を露出させるカバー開位置との間で回動可能となっており、カバー部材９がカバー開位置にあるときには、インクリボンカートリッジ２５の全体が露出している。そのため、本形態では、上述のように、カバー部材９がカバー開位置にあるときにはカード発行装置１の上側からインクリボンカートリッジ２５を交換することが可能になる。
【００５６】
本形態では、カバー部材９をカバー開位置に回動させてインクリボンカートリッジ２５を取り外せば、駆動ローラ３３、プラテンローラ３４およびクリーニングローラ３８が露出する。また、本形態では、カバー部材９をカバー開位置に回動させてインクリボンカートリッジ２５を取り外せば、第１搬送路２８ａの上面２８ｃおよび下面２８ｄを露出させるフレーム開位置へ上フレーム２０を回動させることが可能となる。そのため、本形態では、カバー部材９をカバー開位置へ回動させ、インクリボンカートリッジ２５を取り外すとともに、上フレーム２０をフレーム開位置に回動させることで、搬送路２８の上側の全体を開放することが可能になる。したがって、本形態では、カードリーダユニット４および印刷ユニット５のメンテナンスを容易に行うことが可能になる。
【００５７】
また、本形態では、インクリボンカートリッジ２５を交換する際にカバー部材９をカバー開位置へ回動させて、インクリボンカートリッジ２５を取り外しても、上フレーム２０をフレーム開位置へ回動させなければ、第１搬送路２８ａの上面２８ｃおよび下面２８ｄが露出しない。そのため、本形態では、カード発行装置１のセキュリティ性を高めることが可能になる。すなわち、本形態では、カバー部材９をカバー開位置へ回動させ、インクリボンカートリッジ２５を取り外しても、上フレーム２０をフレーム開位置へ回動させなければ、第１搬送路２８ａに臨むように配置される磁気ヘッド１８、１９が露出しないため、磁気データを不正に取得するためのスキミング装置が磁気ヘッド１８、１９に取り付けられるおそれを低減することが可能になる。したがって、本形態では、カード発行装置１のセキュリティ性を高めることが可能になる。
【００５８】
本形態では、カバー部材９は、カード発行装置１の後端側を回動中心にして回動可能となっている。そのため、本形態では、ＡＴＭの筐体の前面部にカード発行装置１の前端側が接触するようにカード発行装置１がＡＴＭに搭載されていても、カバー開位置に向かって回動するカバー部材９はＡＴＭの筐体の前面部と干渉しない。したがって、本形態では、カバー部材９を大きく開くことが可能になり、その結果、インクリボンカートリッジ２５の交換や、カードリーダユニット４および印刷ユニット５のメンテナンスをより容易に行うことが可能になる。
【００５９】
本形態では、カバー部材９がカバー閉位置にあるときに、カード反転ユニット６は上側からカバー部材９に覆われている。そのため、本形態では、カバー閉位置に配置されるカバー部材９によってカード反転ユニット６を保護することが可能になる。また、本形態では、カバー部材９がカバー開位置にあるときにインクリボンカートリッジ２５が取り外されると、カード保持部４３の全体が露出するため、カバー部材９によってカード反転ユニット６を保護することが可能であっても、カード保持部４３のメンテナンスを容易に行うことが可能になる。
【００６０】
（他の実施の形態）
上述した形態は、本発明の好適な形態の一例ではあるが、これに限定されるものではなく本発明の要旨を変更しない範囲において種々変形実施が可能である。
【００６１】
上述した形態では、カバー部材９は、カード発行装置１の後端側を回動中心にして回動可能となっているが、カバー開位置へカバー部材９を回動させたときにＡＴＭの筐体の前面部とカバー部材９とが干渉しないのであれば、カバー部材９は、カード発行装置１の前端側を回動中心にして回動可能となっていても良い。また、たとえば、カード発行装置１がＡＴＭに搭載されずに単体で使用される場合にも、カバー部材９は、カード発行装置１の前端側を回動中心にして回動可能となっていても良い。
【００６２】
上述した形態では、カード発行装置１は、ＡＴＭに搭載されているが、カード発行装置１は、ＡＴＭ以外の上位装置に搭載されて使用されても良い。また、上述した形態において、カード発行装置１は、カード反転ユニット６を備えていなくても良い。また、上述した形態では、カード処理装置１は、カード発行装置であるが、カード処理装置１は、カード発行装置以外の、カード２に対して所定の処理を行う装置であっても良い。この場合には、たとえば、カード処理装置１は、カードスタックユニット３を備えていない。
【符号の説明】
【００６３】
１  カード発行装置（カード処理装置）
２  カード
４  カードリーダユニット
５  印刷ユニット
６  カード反転ユニット
９  カバー部材
２０  上フレーム
２２  インクリボン
２３  供給ロール
２４  巻取ロール
２５  インクリボンカートリッジ
２６  サーマルヘッド
２８  搬送路
２８ａ  第１搬送路
２８ｃ  上面（第１搬送路の上面）
２８ｄ  下面（第１搬送路の下面）
Ｘ  前後方向
Ｙ  左右方向
Ｚ  上下方向
【図１】
2018052022.tif 000003
【図２】
2018052022.tif 000004
【図３】
2018052022.tif 000005
【図４】
2018052022.tif 000006
【図５】
2018052022.tif 000007